【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
トナー画像又は記録材を担持する回転体と、
前記回転体に位置ずれ量又は濃度変動量を検知するためのトナー画像である検知パターンを形成する画像形成手段と、
前記回転体又は前記画像形成手段により形成された検知パターンに光を照射する発光素子と、前記回転体又は前記検知パターンから反射された光を受光する受光素子と、を有する検知手段と、
前記検知手段による検知結果に基づいて位置ずれ補正を行う、又は濃度補正を行う制御手段と、
を備え、
前記制御手段は、予め設定された第一の光量で前記発光素子を発光させた場合に前記検知手段により前記回転体を検知した結果に基づいて、前記検知手段により前記検知パターンの検知を行う場合に前記発光素子を発光させるための第二の光量を決定することを特徴とする画像形成装置。
【請求項２】
前記検知パターンは、黒色と前記黒色を除く他の色を含む複数の色のトナー画像からなる第一のパターンと、前記複数の色ごとに異なる階調のトナー画像からなる第二のパターンと、を有することを特徴とする請求項１に記載の画像形成装置。
【請求項３】
前記第一のパターンは、前記他の色のトナー画像の上に前記黒色のトナー画像を重畳して形成されたトナー画像を含むことを特徴とする請求項２に記載の画像形成装置。
【請求項４】
前記制御手段により決定された前記第二の光量で前記発光素子を発光させた場合に、前記受光素子から出力される電圧は、
前記第一のパターンの前記他の色のトナー画像を前記検知手段により検知した場合には第一の閾値より大きく、且つ、前記第一のパターンの前記黒色のトナー画像を前記検知手段により検知した場合には前記第一の閾値より小さく、且つ、前記回転体を前記検知手段により検知した場合には前記第一の閾値より小さく、且つ、前記第二のパターンを前記検知手段により検知した場合には前記第一の閾値よりも大きい第二の閾値よりも小さいことを特徴とする請求項２又は３に記載の画像形成装置。
【請求項５】
前記制御手段は、前記他の色の中で前記受光素子からの出力が最も高い色の反射率と前記回転体の反射率との比である第一の比、前記他の色の中で前記受光素子からの出力が最も低い色の反射率と前記回転体の反射率との比である第二の比、及び、前記黒色の反射率と前記回転体の反射率との比である第三の比、の少なくとも１以上の比に基づき、前記第二の光量を決定することを特徴とする請求項２乃至４のいずれか１項に記載の画像形成装置。
【請求項６】
前記受光素子は、前記第一の光量で前記発光素子を発光させて前記回転体から反射された光を受光した場合に第一の電圧を出力し、
前記制御手段は、前記第一の光量で前記発光素子を発光させた場合に、
前記第一の電圧と前記第一の比に基づいて、前記他の色のトナー画像から反射される光を受光する場合の前記受光素子からの出力が前記他の色の中で最も高くなる第二の電圧を予測し、
前記第一の電圧と前記第二の比に基づいて、前記他の色のトナー画像から反射される光を受光する場合の前記受光素子からの出力が前記他の色の中で最も低くなる第三の電圧を予測し、
前記第一の電圧と前記第三の比に基づいて、前記黒色のトナー画像から反射される光を受光する場合の前記受光素子から出力される第四の電圧を予測し、
予測した前記第二乃至第四の電圧の少なくとも１以上の電圧に基づき、前記第二の光量を決定することを特徴とする請求項５に記載の画像形成装置。
【請求項７】
前記制御手段は、前記第二の光量で前記発光素子を発光させて前記第一のパターン及び前記回転体からの反射光を受光した場合に前記受光素子から出力される電圧に基づいて、前記検知手段により前記検知パターンの検知を行う場合に前記発光素子を発光させるための光量を第三の光量に更新することを特徴とする請求項２乃至６のいずれか１項に記載の画像形成装置。
【請求項８】
前記制御手段は、前記第二の光量で前記発光素子を発光させた場合に前記受光素子から出力される電圧が、前記第一のパターンの前記他の色のトナー画像を前記検知手段により検知した場合には前記第一の閾値より大きく、且つ、前記回転体を前記検知手段により検知した場合には前記第一の閾値より小さくなるように、前記第一の閾値を決定することを特徴とする請求項６に記載の画像形成装置。
【請求項９】
前記制御手段は、前記第一の電圧、前記第三の電圧、前記第一の光量及び前記第二の光量に基づいて、前記第一の閾値を決定することを特徴とする請求項８に記載の画像形成装置。
【請求項１０】
前記第一のパターンは、前記位置ずれ量を検知するためのパターンであり、
前記受光素子は、前記第一のパターンからの乱反射光を受光し、デジタルの電圧値を出力することを特徴とする請求項２乃至９のいずれか１項に記載の画像形成装置。
【請求項１１】
前記第二のパターンは、前記濃度変動量を検知するためのパターンであり、
前記受光素子は、前記第二のパターンからの正反射光を受光し、アナログの電圧値を出力することを特徴とする請求項２乃至９のいずれか１項に記載の画像形成装置。
【請求項１２】
前記発光素子はレーザダイオードであり、前記受光素子はフォトトランジスタであることを特徴とする請求項１乃至１１のいずれか１項に記載の画像形成装置。
【請求項１３】
トナー画像又は記録材を担持する回転体と、前記回転体に位置ずれ量又は濃度変動量を検知するためのトナー画像である検知パターンを形成する画像形成手段と、前記回転体又は前記画像形成手段により形成された検知パターンに光を照射する発光素子と、前記回転体又は前記検知パターンから反射された光を受光する受光素子と、を有する検知手段と、前記検知手段による検知結果に基づいて位置ずれ補正を行う、又は濃度補正を行う制御手段と、を備える画像形成装置の光量制御方法であって、
予め設定された第一の光量で前記発光素子を発光させた場合に前記検知手段により前記回転体を検知した結果に基づいて、前記検知手段により前記検知パターンの検知を行う場合に前記発光素子を発光させるための第二の光量を決定する決定工程を備えることを特徴とする光量制御方法。
【請求項１４】
前記検知パターンは、黒色と前記黒色を除く他の色を含む複数の色のトナー画像からなる第一のパターンと、前記複数の色ごとに異なる階調のトナー画像からなる第二のパターンと、を有することを特徴とする請求項１３に記載の光量制御方法。
【請求項１５】
前記第一のパターンは、前記他の色のトナー画像の上に前記黒色のトナー画像を重畳して形成されたトナー画像を含むことを特徴とする請求項１４に記載の光量制御方法。
【請求項１６】
前記決定工程により決定された前記第二の光量で前記発光素子を発光させた場合に、前記受光素子から出力される電圧は、
前記第一のパターンの前記他の色のトナー画像を前記検知手段により検知した場合には第一の閾値より大きく、且つ、前記第一のパターンの前記黒色のトナー画像を前記検知手段により検知した場合には前記第一の閾値より小さく、且つ、前記回転体を前記検知手段により検知した場合には前記第一の閾値より小さく、且つ、前記第二のパターンを前記検知手段により検知した場合には前記第一の閾値よりも大きい第二の閾値よりも小さいことを特徴とする請求項１４又は１５に記載の光量制御方法。
【請求項１７】
前記決定工程では、前記他の色の中で前記受光素子からの出力が最も高い色の反射率と前記回転体の反射率との比である第一の比、前記他の色の中で前記受光素子からの出力が最も低い色の反射率と前記回転体の反射率との比である第二の比、及び、前記黒色の反射率と前記回転体の反射率との比である第三の比、の少なくとも１以上の比に基づき、前記第二の光量を決定することを特徴とする請求項１４乃至１６のいずれか１項に記載の光量制御方法。
【請求項１８】
前記受光素子は、前記第一の光量で前記発光素子を発光させて前記回転体から反射された光を受光した場合に第一の電圧を出力し、
前記決定工程では、前記第一の光量で前記発光素子を発光させた場合に、
前記第一の電圧と前記第一の比に基づいて、前記他の色のトナー画像から反射される光を受光する場合の前記受光素子からの出力が前記他の色の中で最も高くなる第二の電圧を予測し、
前記第一の電圧と前記第二の比に基づいて、前記他の色のトナー画像から反射される光を受光する場合の前記受光素子からの出力が前記他の色の中で最も低くなる第三の電圧を予測し、
前記第一の電圧と前記第三の比に基づいて、前記黒色のトナー画像から反射される光を受光する場合の前記受光素子から出力される第四の電圧を予測し、
予測した前記第二乃至第四の電圧の少なくとも１以上の電圧に基づき、前記第二の光量を決定することを特徴とする請求項１７に記載の光量制御方法。
【請求項１９】
前記第二の光量で前記発光素子を発光させて前記第一のパターン及び前記回転体からの反射光を受光した場合に前記受光素子から出力される電圧に基づいて、前記検知手段により前記検知パターンの検知を行う場合に前記発光素子を発光させるための光量を第三の光量に更新する更新工程を備えることを特徴とする請求項１４乃至１８のいずれか１項に記載の光量制御方法。
【請求項２０】
前記決定工程では、前記第二の光量で前記発光素子を発光させた場合に前記受光素子から出力される電圧が、前記第一のパターンの前記他の色のトナー画像を前記検知手段により検知した場合には前記第一の閾値より大きく、且つ、前記回転体を前記検知手段により検知した場合には前記第一の閾値より小さくなるように、前記第一の閾値を決定することを特徴とする請求項１８に記載の光量制御方法。
【請求項２１】
前記決定工程では、前記第一の電圧、前記第三の電圧、前記第一の光量及び前記第二の光量に基づいて、前記第一の閾値を決定することを特徴とする請求項２０に記載の光量制御方法。
【請求項２２】
前記第一のパターンは、前記位置ずれ量を検知するためのパターンであり、
前記受光素子は、前記第一のパターンからの乱反射光を受光し、デジタルの電圧値を出力することを特徴とする請求項１４乃至２１のいずれか１項に記載の光量制御方法。
【請求項２３】
前記第二のパターンは、前記濃度変動量を検知するためのパターンであり、
前記受光素子は、前記第二のパターンからの正反射光を受光し、アナログの電圧値を出力することを特徴とする請求項１４乃至２１のいずれか１項に記載の光量制御方法。
【請求項２４】
前記発光素子はレーザダイオードであり、前記受光素子はフォトトランジスタであることを特徴とする請求項１３乃至２３のいずれか１項に記載の光量制御方法。
【請求項２５】
トナー画像又は記録材を担持する回転体と、
前記回転体に位置ずれ量又は濃度変動量を検知するためのトナー画像である検知パターンを形成する画像形成手段と、
前記回転体又は前記画像形成手段により形成された検知パターンに光を照射する発光素子と、前記回転体又は前記検知パターンから反射された光を受光する受光素子と、を有する検知手段と、
前記検知手段による検知結果に基づいて位置ずれ補正を行う、又は濃度補正を行う制御手段と、
を備え、
前記制御手段は、前記発光素子を発光させた場合に前記検知手段により前記回転体を検知した結果に基づいて、前記検知手段により前記検知パターンを検知した場合の値より小さく、且つ前記検知手段により前記回転体を検知した場合の値より大きくなるように閾値を決定することを特徴とする画像形成装置。
【請求項２６】
トナー画像又は記録材を担持する回転体と、前記回転体に位置ずれ量又は濃度変動量を検知するためのトナー画像である検知パターンを形成する画像形成手段と、前記回転体又は前記画像形成手段により形成された検知パターンに光を照射する発光素子と、前記回転体又は前記検知パターンから反射された光を受光する受光素子と、を有する検知手段と、前記検知手段による検知結果に基づいて位置ずれ補正を行う、又は濃度補正を行う制御手段と、を備える画像形成装置の制御方法であって、
前記発光素子を発光させた場合に前記検知手段により前記回転体を検知した結果に基づいて、前記検知手段により前記検知パターンを検知した場合の値より小さく、且つ前記検知手段により前記回転体を検知した場合の値より大きくなるように閾値を決定する決定工程を備えることを特徴とする画像形成装置の制御方法。
【手続補正２】
【補正対象書類名】明細書
【補正対象項目名】０００８
【補正方法】変更
【補正の内容】
【０００８】
（１）トナー画像又は記録材を担持する回転体と、前記回転体に位置ずれ量又は濃度変動量を検知するためのトナー画像である検知パターンを形成する画像形成手段と、前記回転体又は前記画像形成手段により形成された検知パターンに光を照射する発光素子と、前記回転体又は前記検知パターンから反射された光を受光する受光素子と、を有する検知手段と、前記検知手段による検知結果に基づいて位置ずれ補正を行う、又は濃度補正を行う制御手段と、を備え、前記制御手段は、予め設定された第一の光量で前記発光素子を発光させた場合に前記検知手段により前記回転体を検知した結果に基づいて、前記検知手段により前記検知パターンの検知を行う場合に前記発光素子を発光させるための第二の光量を決定することを特徴とする画像形成装置。
（２）トナー画像又は記録材を担持する回転体と、前記回転体に位置ずれ量又は濃度変動量を検知するためのトナー画像である検知パターンを形成する画像形成手段と、前記回転体又は前記画像形成手段により形成された検知パターンに光を照射する発光素子と、前記回転体又は前記検知パターンから反射された光を受光する受光素子と、を有する検知手段と、前記検知手段による検知結果に基づいて位置ずれ補正を行う、又は濃度補正を行う制御手段と、を備え、前記制御手段は、前記発光素子を発光させた場合に前記検知手段により前記回転体を検知した結果に基づいて、前記検知手段により前記検知パターンを検知した場合の値より小さく、且つ前記検知手段により前記回転体を検知した場合の値より大きくなるように閾値を決定することを特徴とする画像形成装置。
【手続補正３】
【補正対象書類名】明細書
【補正対象項目名】０００９
【補正方法】削除
【補正の内容】